(57)【特許請求の範囲】
【請求項１】
便器本体と該便器本体の上部に設けられた機能部と、を有する便器装置において、
前記便器本体および前記機能部の少なくとも一方に取り付けられて、前記便器本体と前記機能部との隙間に配置されるシール部材を有し、
該シール部材は、軟質シール体と、該軟質シール体に覆われた弾性体と、を有し、
前記便器本体と前記機能部との隙間の寸法に応じて、前記便器本体の幅方向において部分的に厚さが異なることを特徴とする便器装置。
【請求項２】
前記弾性体は、互いに厚さが異なる第１弾性体および第２弾性体を有する請求項１に記載の便器装置。
【請求項３】
前記便器本体には、前記機能部の少なくとも下部側が配置される凹部が形成されていて、
前記シール部材は、前記凹部の底面と前記機能部との隙間に配置されている請求項１または２に記載の便器装置。
【請求項４】
前記軟質シール体は、断面形状がＵ字形状に形成され、内側に前記弾性体が配置されている請求項１から３のいずれか一項に記載の便器装置。
【発明の詳細な説明】
【技術分野】
【０００１】
本発明は、便器装置に関する。
【背景技術】
【０００２】
従来、便器本体の上に局部洗浄装置などの各種機能装置などを有する機能部が設けられた便器装置が知られている（例えば、特許文献１参照）。このような便器装置では、便器本体と機能部との隙間に便鉢から水が入り込むことを防止するためのシール部材が設けられている。
【先行技術文献】
【特許文献】
【０００３】
【特許文献１】特開平９−２２８４５１号公報
【発明の概要】
【発明が解決しようとする課題】
【０００４】
しかしながら、便器本体や機能部の形状が複雑な場合、シール部材が座屈したり便器本体と機能部との隙間の形状に追従できなかったりして、便器本体と機能部との隙間を埋められないことがある。この結果、便器本体と機能部との隙間に便鉢から飛散した水などが浸入してしまい、清掃に手間がかかるといった問題がある。
【０００５】
そこで、本発明は、便器本体と機能部との隙間を確実に埋めることができる便器装置を提供することを目的とする。
【課題を解決するための手段】
【０００６】
上記目的を達成するため、本発明に係る便器装置は、便器本体と該便器本体の上部に設けられた機能部と、を有する便器装置において、前記便器本体および前記機能部の少なくとも一方に取り付けられて、前記便器本体と前記機能部との隙間に配置されるシール部材を有し、該シール部材は、軟質シール体と、該軟質シール体に覆われた弾性体と、を有し、前記便器本体と前記機能部との隙間の寸法に応じて、前記便器本体の幅方向において部分的に厚さが異なることを特徴とする。
【０００８】
本発明では、シール部材は、軟質シール体と、軟質シール体に覆われた弾性体と、を有している。これにより、シール部材が便器本体と機能部との隙間に配置され、弾性体が弾性変形してシール部材が便器本体と機能部との隙間に追従した形状となると、弾性体の反発力により軟質シール体が座屈することが防止されるとともに、軟質シール体を便器本体および機能部に密着させることができる。
また、本発明に係る便器装置では、前記シール部材は、前記便器本体と前記機能部との隙間の寸法に応じて部分的に厚さが異なる。
このような構成とすることにより、便器本体と機能部との隙間の大きさにばらつきがある場合でも、シール部材が便器本体と機能部との隙間に応じた形状であるため、便器本体と機能部との隙間を確実に埋めることができる。
【０００９】
また、本発明に係る便器装置では、前記弾性体は、互いに厚さが異なる第１弾性体および第２弾性体を有していてもよい。
また、本発明に係る便器装置では、前記便器本体には、前記機能部の少なくとも下部側が配置される凹部が形成されていて、前記シール部材は、前記凹部の底面と前記機能部との隙間に配置されていることが好ましい。
このような構成とすることにより、機能部を便器本体の上端部よりも上側に配置する場合と比べて、機能部が設置される高さを抑えることができ、高さが低いコンパクトなデザインの便器装置を実現することができる。
また、機能部を便器本体の上端部よりも上側に配置する場合と比べて便器本体と機能部との隙間が形成される位置が低くなり便器本体と機能部との隙間に水が入りやすくなるが、隙間にシール部材が配置されていることにより、便器本体と機能部との隙間に水が浸入することを防止することができる。
【００１０】
また、本発明に係る便器装置では、前記軟質シール体は、断面形状がＵ字形状に形成され、内側に前記弾性体が配置されていることが好ましい。
このような構成とすることにより、軟質シール体と弾性体とが密着し、弾性体の反発力が軟質シール体に確実に作用するため、シール部材が便器本体と機能部との隙間の形状に追従し、便器本体と機能部との隙間を確実に埋めることができる。
【発明の効果】
【００１２】
本発明によれば、便器本体と機能部との隙間を確実に埋めることができるため、便器本体と機能部との隙間に便鉢から飛散した水などが浸入することがなく、清掃にかかる手間を軽減させることができる。
【図面の簡単な説明】
【００１３】
【図１】本発明の実施形態による便器装置の一例を示す斜視図である。
【図２】図１のＡ−Ａ線断面図である。
【図３】便器本体を説明する斜視図である。
【図４】ベース部を下側から見た斜視図である。
【図５】シール部材を説明する斜視図である。
【図６】図５のＢ−Ｂ線断面図である。
【図７】図５を上から見た図である。
【図８】シール部材を後側から見た図である。
【図９】（ａ）は図８のＣ−Ｃ線断面図、（ｂ）は図８のＤ−Ｄ線断面図である。
【図１０】カバー部を下側から見た斜視図である。
【図１１】図１０のＥ−Ｅ線断面図である。
【発明を実施するための形態】
【００１４】
以下、本発明の実施形態による便器装置およびシール部材について、図１乃至図１１に基づいて説明する。
図１および図２に示すように、本実施形態による便器装置１は、便鉢２１が形成された便器本体２と、便器本体２の上部に設けられた機能部３と、便器本体２と機能部３との隙間に配置されたシール部材４と、を有している。また、便器装置１は、便器本体２の上部に設けられて機能部３に回動可能に支持された便座５（図１参照）および便蓋（不図示）を有している。
機能部３は、局部洗浄装置、脱臭装置、便座５や便蓋を開閉する開閉装置などの各種機能装置や機能部品などと、これらの各種機能装置や機能部品などを収容するケース６と、を有している。
ここで、便器装置１の機能部３が設けられている側を前後方向の後側とし、便座５が設けられている側を前後方向の前側とする。また、この前後方向に直交する水平方向を幅方向とし、幅方向の中央部に対して両端部に向かう側を外側とし、両端部に対して中央部に向かう側を内側とする。
【００１５】
図３に示すように、便器本体２には、前側の部分に平面視形状が前後方向に長い略長丸状の便鉢２１が形成され、便鉢２１の後側に機能部３（図１参照）が設置される機能部設置スペース２２が形成されている。
機能部設置スペース２２の前側の部分２３は、便器本体２の上部側に形成され、底部が便器本体２の高さ方向の中間部に配置されている。機能部設置スペース２２の後側の部分２４は、便器本体２の高さ方向の略全体に形成され、底部が便器本体２の底部と兼ねている。機能部設置スペース２２の前縁部は、便鉢２１の内面の後部側に沿うように後側に突出するように湾曲している。
機能部設置スペース２２の前側の部分２３には、幅方向の内側に形成され下側に凹んで、上側および前側に開口する凹部２５が形成されている。凹部２５は、機能部３が設置されていない状態では、便鉢２１と前後方向に連通している。
【００１６】
凹部２５は、前縁部近傍における幅方向の中間部分に形成され略水平面となる第１凹部底面２５１と、第１凹部底面２５１の幅方向の両縁部および後縁部からそれぞれ幅方向の外側および後側に向かって漸次上側に向かう傾斜面となる第１凹部傾斜面２５２と、第１凹部傾斜面２５２の幅方向の両端部および後縁部からそれぞれ第１凹部傾斜面２５２と離間する側に延びる略水平面となる第２凹部底面２５３と、第２凹部底面２５３の幅方向の両端部からそれぞれ幅方向の外側に向かって漸次上側に向かう傾斜面となる一対の第２凹部傾斜面２５４，２５４と、を有している。
【００１７】
第１凹部底面２５１は、平面視形状が幅方向に長い長尺に形成されている。第１凹部傾斜面２５２は、第１凹部底面２５１の外側に連続して配置され平面視形状が前側に開口する略Ｃ字型状に形成されている。第２凹部底面２５３は、第１凹部傾斜面２５２の外側に連続して配置され平面視形状が前側に開口する略Ｃ字形状に形成されている。一対の第２凹部傾斜面２５４，２５４は、それぞれ幅方向外側の上端部が便器本体２の幅方向外側の縁部近傍における上面２ａと連続している。
【００１８】
図２に戻り、ケース６は、機能部設置スペース２２に配置され各種機能装置や機能部品が載置されるベース部６１と、便器本体２の上側に配置され各種機能装置や機能部品の上部をおよび側部を覆うカバー部６２と、を有している。
【００１９】
図４に示すように、ベース部６１は、前側の部分６１ａが機能部設置スペース２２の前側の部分２３（図３参照）に沿って配置されている。ベース部６１の前側の部分６１ａは、前縁部近傍における幅方向の中間部分に形成され略水平面となる第１ベース底面６１１と、第１ベース底面６１１の幅方向の両縁部および後縁部からそれぞれ幅方向の外側および後側に向かって漸次上側に向かう傾斜面となる第１ベース傾斜面６１２と、第１ベース傾斜面６１２の幅方向の両端部および後縁部からそれぞれ幅方向の外側および後側に延びる略水平面となる第２ベース底面６１３、第２ベース底面６１３の幅方向の両端部からそれぞれ幅方向の外側に向かって漸次上側に向かう傾斜面となる一対の第２ベース傾斜面６１４，６１４と、一対の第２ベース傾斜面６１４，６１４それぞれの幅方向の外側の端部から幅方向の外側に延びる一対の第３ベース底面６１５，６１５と、を有している。
【００２０】
第１ベース底面６１１は、平面視形状が幅方向に長い長尺に形成されている。第１ベース傾斜面６１２は、第１ベース底面６１１の外側に連続して配置され平面視形状が前側に開口する略Ｃ字型状に形成されている。第２ベース底面６１３は、第１ベース傾斜面６１２の外側に連続して配置され平面視形状が前側に開口する略Ｃ字形状に形成されている。一対の第２ベース傾斜面６１４，６１４の上端部および一対の第３ベース底面６１５，６１５は、便器本体２の上面２ａの高さに配置されている。
【００２１】
図２に示すようにベース部６１は、機能部設置スペース２２に配置されると、第１ベース底面６１１が第１凹部底面２５１と隙間を空けて対向し、第１ベース傾斜面６１２が第１凹部傾斜面２５２と隙間を空けて対向し、第２ベース底面６１３が第２凹部底面２５３と隙間を空けて対向し、一対の第２ベース傾斜面６１４，６１４が一対の第２凹部傾斜面２５４，２５４と隙間を空けて対向し、一対の第３ベース底面６１５，６１５が便器本体２の上面２ａと対向している。
【００２２】
第１ベース底面６１１と第１凹部底面２５１との隙間を隙間ｔ１とし、一対の第１ベース傾斜面６１２，６１２と一対の第１凹部傾斜面２５２，２５２との隙間をそれぞれ隙間ｔ２とし、一対の第２ベース底面６１３，６１３と一対の第２凹部底面２５３，２５３との隙間をそれぞれ隙間ｔ３とし、一対の第２ベース傾斜面６１４，６１４と一対の第２凹部傾斜面２５４，２５４との隙間をそれぞれ隙間ｔ４とし、一対の第３ベース底面６１５，６１５と便器本体２の上面２ａとの隙間をそれぞれ隙間ｔ５とする。隙間ｔ４は、隙間ｔ１、隙間ｔ２、隙間ｔ３および隙間ｔ５よりも大きい寸法に設定されている。なお、隙間ｔ２および隙間ｔ３は、他に比べて公差が大きく設定されている。
【００２３】
図５乃至図９に示すように、シール部材４は、ベース部６１（図２参照）の前側の部分６１ａの前縁部近傍と機能部設置スペース２２の前側の部分２３の前縁部近傍との隙間に配置されていて、ベース部６１の前側の部分６１ａと機能部設置スペース２２の前側の部分２３の隙間に沿った形状に形成されている。本実施形態では、シール部材４は、便器本体２に接着されている。
また、シール部材４は、第２凹部底面２５３の前端部に沿うように配置されている。本実施形態では、シール部材４のうち第１ベース底面６１１と第１凹部底面２５１との隙間を隙間ｔ１に配置される部分（軟質シール体４１の第１水平部４１１、および第１水平部４１１の空部４１１ａに配置された第１弾性体４２１）は、第２凹部底面２５３の前端部（第１凹部底面２５１の前端部）に沿うように配置され、幅方向外側に向かうにつれて、第２凹部底面２５３の前端部よりも若干後方に配置されている。
【００２４】
図９に示すように、シール部材４は、可撓性を有し断面形状が略Ｕ字形の紐状に形成された軟質シール体４１と、弾性変形可能で軟質シール体４１の内部に配置された弾性体４２と、を有している。
軟質シール体４１の断面形状の略Ｕ字の内側の部分を空部４１ａとすると、弾性体４２は、軟質シール体４１の空部４１ａに配置されている。
シール部材４は、軟質シール体４１の断面形状の略Ｕ字が後側に開口し、弾性体４２の上側、下側および前側が軟質シール体４１に覆われて、弾性体４２の前側が露出しないように配置されている。
【００２５】
軟質シール体４１は、塩化ビニル樹脂などで形成され、防水性を有している。
軟質シール体４１は、第１ベース底面６１１と第１凹部底面２５１との隙間ｔ１に配置される第１水平部４１１と、第１水平部４１１の幅方向の両端部にそれぞれ連続し一対の第１ベース傾斜面６１２，６１２と一対の第１凹部傾斜面２５２，２５２との隙間ｔ２に配置される一対の第１傾斜部４１２，４１２と、一対の第１傾斜部４１２，４１２それぞれの幅方向の外側の端部に連続し一対の第２ベース底面６１３，６１３と一対の第２凹部底面２５３，２５３との隙間ｔ３に配置される一対の第２水平部４１３，４１３と、一対の第２水平部４１３，４１３それぞれの幅方向の外側の端部に連続し一対の第２ベース傾斜面６１４，６１４と一対の第２凹部傾斜面２５４，２５４との隙間ｔ４に配置される一対の第２傾斜部４１４，４１４と、一対の第２傾斜部４１４，４１４それぞれの幅方向の外側の端部に連続し一対の第３ベース底面６１５，６１５と便器本体２の上面２ａとの隙間ｔ５に配置される一対の第３水平部４１５，４１５と、を有している。
【００２６】
これらの第１水平部４１１、一対の第１傾斜部４１２，４１２、一対の第２水平部４１３，４１３、一対の第２傾斜部４１４，４１４、一対の第３水平部４１５，４１５は、一体に形成されている。本実施形態では、第２ベース傾斜面６１４と第２凹部傾斜面２５４との隙間ｔ４が他の隙間ｔ１〜ｔ３，ｔ５よりも大きいとともに、第１ベース傾斜面６１２と第１凹部傾斜面２５２との隙間ｔ２および第２ベース底面６１３と第２凹部底面２５３との隙間ｔ３が他の隙間ｔ１，ｔ４，ｔ５よりも公差が大きい。このため、一対の第１傾斜部４１２，４１２、一対の第２水平部４１３，４１３、および一対の第２傾斜部４１４，４１４は、第１水平部４１１および一対の第３水平部４１５，４１５よりも空部４１ａの厚さおよび全体の厚さが大きく形成されている。
【００２７】
弾性体４２は、ウレタンやスポンジ、ゴム、ゲルなどで形成されている。弾性体４２は、弾性変形可能であれば、防水性の高い材料でなくてもよい。弾性体４２は、軟質シール体４１に接着されている。
弾性体４２は、軟質シール体４１の第１水平部４１１の空部４１ａに配置される第１弾性体４２１と、軟質シール体４１の連続する第１傾斜部４１２、第２水平部４１３および第２傾斜面４１４それぞれの空部４１ａ，４１ａに配置される一対の第２弾性体４２２，４２２と、軟質シール体４１の一対の第３水平部４１５，４１５の空部４１ａに配置される一対の第３弾性体４２３，４２３と、を有している。
【００２８】
これらの第１弾性体４２１、一対の第２弾性体４２２，４２２および一対の第３弾性体４２３，４２３は、別々に形成されている。本実施形態では、第１弾性体４２１とそれぞれ隣り合う一対の第２弾性体４２２，４２２との間、一対の第２弾性体４２２，４２２それぞれと隣り合う一対の第３弾性体４２３，４２３との間に隙間が設けられている。
本実施形態では、第１弾性体４２１および一対の第３弾性体４２３，４２３は、一対の第２弾性体４２２，４２２よりも高さ寸法が小さく形成され、軟質シール体４１の大きさに対応している。
このようなシール部材４は、外力により弾性体４２が弾性変形するとともに軟質シール体４１が弾性体４２の弾性変形に追従して変形することで変形し、弾性体４２の反発力が軟質シール体４１に伝わるように構成されている。
【００２９】
図１０に示すように、カバー部６２は、機能部３を上側から覆う筐体部６２１と、筐体部６２１の前端部における幅方向の両端部近傍からそれぞれ前側に突出する板状の一対のカバープレート６２２，６２２と、を有している。
カバー部６２が機能部３を収容するように正位置に配置されると、一対のカバープレート６２２，６２２は、それぞれ一対の第３ベース底面６１５，６１５を覆うとともに、前端部が一対の第３ベース底面６１５，６１５の前端部よりも前側に位置している。一対のカバープレート６２２，６２２は、一対の第３ベース底面６１５，６１５よりも前側の部分が便器本体２の上面２ａに沿って配置されている。
【００３０】
本実施形態では、図１０および図１１に示すように、一対のカバープレート６２２，６２２それぞれの前端部近傍の下面に幅方向に延びるパッキン６２３，６２３が設けられている。パッキン６２３は、それぞれカバープレート６２２，６２２との便器本体２との間に挟まれて、幅方向の内側の端部がシール部材４の幅方向外側の端部と当接するように配置される。
パッキン６２３，６２３は、塩化ビニル樹脂などで形成され、防水性を有している。パッキン６２３，６２３は、断面形状が略Ｌ字形状に形成されていて、一方の辺６２３ａ，６２３ａがカバープレート６２２，６２２の下面に接着され、他方の片６２３ｂ，６２３ｂが斜め下側に突出している。パッキン６２３，６２３は、それぞれカバープレート６２２，６２２の下面と便器本体２の上面２ａとに挟まれると、両方の辺が重なるように変形している。
【００３１】
次に、上述した便器装置およびシール部材の作用・効果について図面を用いて説明する。
上述した本実施形態では、シール部材４は、軟質シール体４１と、軟質シール体４１に覆われた弾性体４２と、を有している。これにより、シール部材４が便器本体２と機能部３との隙間に配置され、弾性体４２が弾性変形してシール部材４が便器本体２と機能部３との隙間に追従した形状となると、弾性体４２の反発力により軟質シール体４１屈することが防止されるとともに、軟質シール体４１を便器本体２および機能部３に密着させることができる。
そして、便器本体２と機能部３との隙間を確実に埋めることができるため、便器本体２と機能部３との隙間に便鉢２１から飛散した水などが浸入することがなく、清掃にかかる手間を軽減させることができる。
【００３２】
また、便器本体２には、機能部３の少なくとも下部側が配置される凹部２５が形成されていて、シール部材４は、凹部２５の底面と機能部３との隙間に配置されていること
により、機能部３を便器本体２の上端部よりも上側に配置する場合と比べて、機能部が設置される高さを抑えることができ、高さが低いコンパクトなデザインの便器装置１を実現することができる。
また、機能部３を便器本体２の上端部よりも上側に配置する場合と比べて便器本体２と機能部と３の隙間が形成される位置が低くなり便器本体２と機能部３との隙間に水が入りやすくなるが、隙間にシール部材４が配置されていることにより、便器本体２と機能部３との隙間に水が浸入することを防止することができる。
【００３３】
また、軟質シール体４１は、断面形状がＵ字形状に形成され、内側に弾性体４２が配置されていることにより、軟質シール体４１と弾性体４２とが密着し、弾性体４２反発力が軟質シール体４１に確実に作用するため、シール部材４が便器本体２と機能部３との隙間の形状に追従し、便器本体２と機能部３の隙間を確実に埋めることができる。
【００３４】
また、シール部材４は、便器本体２と機能部３との隙間の寸法に応じて部分的に厚さが異なる構成とすることにより、便器本体２と機能部３との隙間の大きさにばらつきがある場合でも、シール部材４が便器本体２と機能部３との隙間に応じた形状であるため、便器本体２と機能部３との隙間を確実に埋めることができる。
【００３５】
また、本実施形態では、カバープレート６２２，６２２と便器本体２の上面２ａとの間に配置されるパッキン６２３，６２３は、シール部材４とは別に設けられていることにより、便器本体２に対してカバー部６２がパッキン６２３，６２３とともに移動したとしても、パッキン６２３，６２３の移動がシール部材４に影響することがなく、シール部材４がずれることを防止できる。
【００３６】
以上、本発明による便器装置およびシール部材の実施形態について説明したが、本発明は上記の実施形態に限定されるものではなく、その趣旨を逸脱しない範囲で適宜変更可能である。
例えば、上記の実施形態では、便器本体２の機能部設置スペース２２に下側に凹む凹部２５が形成されているが平坦面に形成され凹部２５が形成されていなくてもよい。また、便器本体２の機能部設置スペース２２に凹部２５が形成されている場合は、凹部２５およびベース部６１の形状は適宜設定されてよい。
また、上記の実施形態では、シール部材４は、便器本体２接着されているが、便器本体２に代わってベース部６１に接着されていてもよい。
【００３７】
また、上記の実施形態では、一対の第２ベース傾斜面６１４，６１４と一対の第２凹部傾斜面２５４，２５４との隙間ｔ４は、第１ベース底面６１１と第１凹部底面２５１との隙間ｔ１、一対の第１ベース傾斜面６１２，６１２と一対の第１凹部傾斜面２５２，２５２との隙間ｔ２、一対の第２ベース底面６１３，６１３と一対の第２凹部底面２５３，２５３との隙間をそれぞれ隙間隙間ｔ３および一対の第３ベース底面６１５，６１５と便器本体２の上面２ａとの隙間ｔ５よりも大きい寸法に設定されているが、各隙間ｔ１〜ｔ５の大きさは適宜設定されていてよい。なお、隙間ｔ１〜ｔ５はすべて同じ大きさに設定されていてもよい。また、上記の実施形態では、隙間ｔ２および隙間ｔ３は、他の隙間ｔ１，ｔ４，ｔ５と比べて公差が大きくなるように設定されているが、このように設定されていなくてもよい。これらに伴い、シール部材４の寸法は適宜設定されてよい。
また、上記の実施形態では、軟質シール体４１は、断面形状が略Ｕ字形状に形成されているが、便器本体２とベース部６１との隙間から弾性体４２が前側に露出しないように覆っていれば他の形状であってもよい。
【符号の説明】
【００３８】
１  便器装置
２  便器本体
３  機能部
４  シール部材
２５  凹部
４１  軟質シール体
４２  弾性体
６１  ベース部
６２  カバー部
４２１  第１弾性体
４２２  第２弾性体
４２３  第３弾性体
【図１】
0006752606.tif 000002
【図２】
0006752606.tif 000003
【図３】
0006752606.tif 000004
【図４】
0006752606.tif 000005
【図５】
0006752606.tif 000006
【図６】
0006752606.tif 000007
【図７】
0006752606.tif 000008
【図８】
0006752606.tif 000009
【図９】
0006752606.tif 000010
【図１０】
0006752606.tif 000011
【図１１】
0006752606.tif 000012